(57)【要約】    【課題】  本発明の目的は、粘着テープを剥離することにより、包装袋の壁面を切目線に沿って切り取り簡単に開封することができるとともに、ガスバリヤー性の優れた易開封性包装袋を提供することである。    【解決手段】  基材層とアルミニウム箔層と熱接着性樹脂層を有する積層体からなる可撓性の壁面を有する袋であって、袋の壁面に積層体の基材層のみを貫通する所定形状を有する開封用の切目線が形成され、切目線の少なくとも一部分を覆うように袋の壁面に外面から摘み部を有する粘着テープが貼着されている構成の易開封性包装袋である。【選択図】        図１
2006137445.tif 000002
【特許請求の範囲】
【請求項１】
基材層とアルミニウム箔層と熱接着性樹脂層を有する積層体からなる可撓性の壁面を有する包装袋の壁面に所定形状を有する切目線が形成され、前記切目線の少なくとも一部分を覆って包装袋の壁面に摘み部を有する粘着テープが貼着された包装袋において、前記切目線が積層体の基材層のみを貫通するように形成された構成からなることを特徴とする易開封性包装袋。
【請求項２】
前記切目線が、破線状に形成された細長い角丸長方形状であり、少なくとも一方の端部を覆って摘み部が包装袋の側端に隣接するように粘着テープが貼着された構成からなることを特徴とする請求項１記載の易開封性包装袋。
【請求項３】
前記切目線が、Ｕ字形状であり、切目線の全体を覆って、摘み部がＵ字形状の曲線部側に位置するように粘着テープが貼着された構成からなることを特徴とする請求項１記載の易開封性包装袋。
【請求項４】
前記粘着テープは、包装袋の壁面への接着強度が１００ｇ／２０ｍｍ（ＪＩＳ  Ｚ−０２３７  １８０℃剥離）以上であり、前記熱接着性樹脂層の引張強度が３０ＭＰａ（ＪＩＳ  Ｋ−７１２７）以下であることを特徴とする請求項１〜３のいずれかに記載の易開封性包装袋。
【請求項５】
前記包装袋がピロータイプ袋又は左右両側端にＶ字状折込部を有するガセット袋であることを特徴とする請求項１〜４のいずれかに記載の易開封性包装袋。
【発明の詳細な説明】
【技術分野】
【０００１】
本発明は、切目線の少なくとも一部分を覆って貼着されている粘着テープを袋の壁面から剥離させることにより、袋を構成する積層体を切目線に沿って切り取り袋に簡単に開口を形成することができるガスバリヤー性の優れた易開封性包装袋に関する。
【背景技術】
【０００２】
従来、袋の壁部を切り取って開口を形成することのできる包装袋としては、例えば、特許第３４００４５６号公報に記載されているような、熱溶着によって封止された一方の封止端部を有し実質的に袋体である可撓性容器の一方の壁部に、封止端部に近接しかつ平行に延びる、互いに間隔をおいて離されて横長の矩形の境界を定める一連のミシン目線により形成された型切欠部領域、即ちダイカット領域が設けられ、ダイカット領域を覆って取っ手としての機能を果たす非粘着性の端部を備えたラベルが貼着された構成の再封可能なカバーを有する容器（例えば、特許文献１参照）が知られている。
【特許文献１】特許第３４００４５６号公報
【０００３】
しかしながら、上記の再封可能なカバーを有する容器においては、容器の壁部を貫通するように形成されたミシン目線からなる型切欠部領域、即ちダイカット領域を覆って粘着ラベルが貼着された構成であるため、容器の壁部を貫通するように形成されたミシン目線によるガスバリヤー性の低下は避けられずガスバリヤー性を必要とする内容物を包装するための容器としては使用できないという欠点を有している。
【発明の開示】
【発明が解決しようとする課題】
【０００４】
本発明の目的は、粘着テープの摘み部を掴んで包装袋から剥離することにより、切目線に沿って包装袋の壁面を切り取り簡単に開封して開口を形成することができるとともに、切目線の形成によるガスバリヤー性の低下がないガスバリヤー性の優れた易開封性包装袋を提供することである。
【課題を解決するための手段】
【０００５】
基材層とアルミニウム箔層と熱接着性樹脂層を有する積層体からなる可撓性の壁面を有する包装袋の壁面に所定形状を有する切目線が形成され、前記切目線の少なくとも一部分を覆って包装袋の壁面に摘み部を有する粘着テープが貼着された包装袋において、前記切目線が積層体の基材層のみを貫通するように形成された構成の易開封性包装袋である。
【０００６】
上記の易開封性包装袋において、前記切目線が、破線状に形成された左右方向に延びる細長い角丸長方形状であり、少なくとも一方の端部を覆って摘み部が包装袋の側端に隣接するように粘着テープが貼着された構成である。
【０００７】
上記の易開封性包装袋において、前記切目線が、左右方向を向くＵ字形状であり、切目線の全体を覆って、摘み部がＵ字形状の曲線部側に位置するように粘着テープが貼着された構成である。
【０００８】
上記の易開封性包装袋において、前記粘着テープは、包装袋の壁面への接着強度が１００ｇ／２０ｍｍ（ＪＩＳ  Ｚ−０２３７  １８０℃剥離）以上であり、前記熱接着性樹脂層の引張強度が３０ＭＰａ（ＪＩＳ  Ｋ−７１２７）以下とされた構成である。
【０００９】
上記の易開封性包装袋において、前記包装袋がピロータイプ袋又は左右両側端にＶ字状折込部を有するガセット袋である構成である。
【発明の効果】
【００１０】
本発明の構成とすることにより、壁面に貼着されている粘着テープを摘み部を掴んで剥離させると、切目線に囲まれた包装袋の壁面を粘着テープに接着した状態で切り取ることができるので、包装袋を簡単に開封して内容物を取り出すための開口を形成することができる。また、切目線は基材層とアルミニウム箔層と熱接着性樹脂層からなる積層体の基材層のみを貫通する状態で形成されており、基材層に形成された切目線の箇所がアルミニウム箔層と熱接着性樹脂層により被覆されているので、切目線を形成することによる包装袋のガスバリヤー性の低下を防止することが可能でありガスバリヤー性の優れた易開封性包装袋とすることができる。
【００１１】
請求項２に係る発明では、切目線に沿って包装袋の壁面を切り取り、細長い角丸長方形状の開口を簡単に形成することができる。
【００１２】
請求項３に係る発明では、切目線に沿って包装袋の壁面を切り取り、Ｕ字形状の開口、ないしはＵ字形状の直線部を延長した形状の開口を簡単に形成することができる。
【００１３】
請求項４に係る発明では、粘着テープを剥離すると粘着テープが包装袋から剥がれることなく包装袋の壁面が粘着テープに接着した状態で引っ張られ、切目線の端縁にて切目線を覆って積層されているアルミニウム箔層と熱接着性樹脂層とを破断させて切目線に沿って引き裂くことができる。
【００１４】
請求項５に係る発明では、ピロータイプ袋またはガセット袋に簡単に開口を形成することができる。
【発明を実施するための最良の形態】
【００１５】
以下、図面を引用して本発明の実施の形態を説明する。
図１は本発明の第１実施形態を示す平面図、図２は図１のＩ−Ｉ線拡大断面図、図３は第１実施形態の開封途中の上半部を示す平面図、図４は第１実施形態の積層体を切目線にて切り取った図２に対応する拡大断面図、図５は本発明の第２実施形態の上半部を示す平面図、図６は本発明の第３実施形態の上半部を示す平面図であって、２は合掌熱接着部、３は端縁熱接着部、４，4'は切目線、５，5'は粘着テープ、5a，5a' は摘み部、51は粘着テープ基材層、52は粘着剤層、６は開口、10は積層体、11は基材層、12はアルミニウム箔層、13は熱接着性樹脂層をそれぞれ表す。
【００１６】
本発明の第１実施形態は図１、図２に示すとおりである。平面形状は、図１に示すように、基材層11とアルミニウム箔層12と熱接着性樹脂層13を備えた積層体10からなり、合掌熱接着部２と上下の端縁熱接着部３により形成されたピロータイプ袋であって、合掌熱接着部２が形成されていない壁面に合掌熱接着部２と直交するように横長の角丸長方形状の破線状の切目線４が形成され、切目線４の全体を覆って一方の端縁に摘み部5aを有する粘着テープ５が壁面の外面に貼着されており、横長の角丸長方形状の切目線４は円弧状の端部において切目の長さが長くされている構成である。粘着テープ５の摘み部5aは粘着剤層を形成せずに非粘着状態とされているか、ないしは粘着テープ５を所定巾だけ粘着剤層を内側にして折り曲げて接着し非粘着状態とされているものである。
【００１７】
切目線４が形成され切目線４を覆って粘着テープ５が貼着された箇所の断面構成は、図２に示すとおりであり、切目線４は基材層11とアルミニウム箔層12と熱接着性樹脂層13からなる積層体10の基材層11のみを貫通するように形成されており、切目線４はアルミニウム箔層12と熱接着性樹脂層13により被覆されている構成である。基材層11に貫通する切目線４をアルミニウム箔層12と熱接着性樹脂層13により被覆されているので切目線４の形成によるガスバリヤー性の低下がなくガスバリヤー性の優れた包装袋とすることができる。また、基材層11を貫通する切目線４を被覆するアルミニウム箔層12は抗張力が小さいので引き裂き易く、また熱接着性樹脂層13も引張強度が３０ＭＰａ（ＪＩＳ  Ｋ−７１２７）以下であり抗張力が小さく引き裂き易いので、積層体10の表面に接着した粘着テープ５を剥離することにより、切目線４の箇所にてアルミニウム箔層12と熱接着性樹脂層13が破断して切目線４に沿って積層体10を引き裂くことができるものである。
【００１８】
第１実施形態の易開封性包装袋を、摘み部粘5aを掴んで粘着テープ５を横方向に引き剥がすことにより、切目線４の切目の長さが長くされている端部において、基材層11が簡単に破断するとともに、基材層11に積層されているアルミニウム箔層12と熱接着性樹脂層13が図４に示すように破断するので、図３に示すように、粘着テープ５の粘着剤層52面に切目線４に囲まれた領域の積層体10が接着した状態で切り取られて開口６が形成されるものである。第１実施形態の場合、切目線４に沿って包装袋の壁面を構成する積層体10を破断させて切り取って除去することにより角丸長方形状の開口６を形成させて内容物を取り出すことができる。また、粘着テープ５を剥離してゆき切目線４に囲まれた領域の積層体10を切り取った時点で剥離を止めることにより、剥離した粘着テープ５を元に戻して包装袋に形成した開口６を再度封止することもできる。
【００１９】
本発明の第２実施形態の平面形状は、図５に示すとおりであって、第１実施形態と比較して、切目線４の一方の端部のみを覆って摘み部5a’を有する粘着テープ5'が壁面の外面に貼着されている点で異なる以外は基本的には第１実施形態と同じ構成である。第２実施形態においても、摘み部5a’を掴んで粘着テープ5'を横方向に引き剥がすことにより、粘着テープ5'が貼着されている領域の積層体10が切り取られ、更に、粘着テープ5'を引っ張ることにより包装袋の壁面を構成する積層体10が切目線４に沿って破断して切り取ることができ、切り取った積層体10を除去することにより、包装袋の壁面に切目線４と同じ形状の開口を形成することができる。
【００２０】
本発明の第３実施形態の平面形状は、図６に示すとおりであって、基材層とアルミニウム箔層と熱接着性樹脂層を備えた積層体からなり、合掌熱接着部２と上下の端縁熱接着部３により形成されたピロータイプ袋であって、合掌熱接着部２が形成されていない壁面に合掌熱接着部２と直交する横長のＵ字形状の破線状の切目線4'が曲線部が包装袋の側端に隣接する位置に形成され、切目線4'の全体を覆って摘み部5a’を有する粘着テープ5'が摘み部5a’が切目線4'の曲線部側にくるように壁面の外面に貼着されており、切目線4'が曲線部において切目の長さが長くされている構成である。
【００２１】
第３実施形態においても、摘み部5a’を掴んで粘着テープ5'を横方向に引き剥がすことにより、切目線4'の切目の長さが長くされている切目線4'の曲線部の箇所から積層体が破断するとともに、切目線4'に沿って積層体を破断させて横Ｕ字形状の開口を形成することができる。粘着テープ5'を剥離させて切目線4'と同じ形状の開口を形成した時点で剥離を止め粘着テープ5'を元に戻すことにより横Ｕ字形状の開口を再封止することができる。また、横Ｕ字形状の開口を形成した後に、更に粘着テープ5'の剥離を続け任意の位置にて剥離を中止することにより、切目線が形成されていない領域においても、切目線4'の直線部の延長方向に積層体を破断させて切り裂き、切目線4'の直線部の延長方向に延びる左右方向に長い横Ｕ字形状の開口を形成することが可能である。
【００２２】
第１〜第３実施形態において、角丸長方形状ないしはＵ字形状の切目線の幅を３〜３０ｍｍ程度とするのが好ましい。切目線の幅が３ｍｍよりも狭いと粘着テープと接着する切目線に囲まれた領域の面積が小さくなり、粘着テープを剥離する際の積層体を引き裂く力が小さくなるので好ましくない。逆に、切目線の幅を包装袋の用途に適するように３０ｍｍより広くするのは任意であるが、切目線の幅を広くした場合、切目線を覆って貼着する粘着テープの面積を大きくする必要があるため、粘着テープを包装袋の外面に貼着する作業がやり難くなる上にコスト面からも好ましくない。また、包装袋の形状はフラットなピロータイプ袋とされているが、両側端に内方へのガセット折り込み部を有するガセットピロータイプ袋としてもよい。また、表裏２枚の積層体の両側端にＶ字状折込片を挿入して４か所の側端部を所定の巾で熱接着した構成のガセット折り込み部を有する包装袋としてもよい。上記のような、両側端に内方へのＶ字状折込み部を有する包装袋の場合に、包装袋の左右方向に切り裂いて開封する適当な手段がないため、本発明のような開封機構を有する易開封性包装袋は、ガセットピロータイプ袋ないしは両側にＶ字折り込みを有する構成の包装袋の場合は特に有効である。
【００２３】
切目線の形状は、特に限定されるものではないが、袋に開口を形成するために閉ループ状又はＵ字状とするのが好ましく、その大きさ及び形状は形成する開口の大きさ及び形状により任意に決めることができる。切目線は破線とするのが好ましく、切目線の直線部は破線の切目の長さを比較的短くし、曲線部は破線の切目の長さを比較的長くすることにより、切目線に沿って基材層を破断するのが容易となる。粘着テープは粘着力の大きいものを使用することが必要であり、そうすることにより、粘着テープを剥離する際に粘着力により包装袋の壁面を引っ張る力が大きくなるので、切目線に沿って積層体の基材層と切目線を覆って積層されているアルミニウム箔と熱接着性樹脂層を破断することが可能になる。粘着テープの摘み部は、粘着テープ基材に粘着剤を塗布しない粘着テープ基材のみの状態とするか、粘着テープを粘着剤層を内側にして所定寸法だけ折り曲げて接着して摘み部としてもよい。
【００２４】
積層体10の基材層11としては、２軸延伸ポリエチレンテレフタレート（ＰＥＴ）、２軸延伸ナイロン（ＯＮ）、２軸延伸ポリプロピレン（ＯＰＰ）等のプラスチックフィルムの単体ないしは積層体、及びそれらのフィルムと紙の積層体が使用できる。熱接着性樹脂層13としては、低密度ポリエチレン、線状低密度ポリエチレン、メタロセン触媒を使用して重合したエチレン−αオレフィン共重合体等が使用できる。粘着テープにより切目線に沿って引き裂くためには熱接着性樹脂層は引張強度が３０ＭＰａ（ＪＩＳ  Ｋ−７１２７）以下とすることが必要であるので、熱接着性樹脂層の厚さとしては１５〜４０μｍ程度となる。
【００２５】
積層体の基材層、中間層、熱接着性樹脂層を積層するには、ウレタン系接着剤を使用したドライラミネーシヨン（ＤＬ）ないしはポリエチレンによる押出ラミネーシヨン（ＥＣ）により行うことができる。積層体の構成としては、例えば、ＰＥＴ／アルミニウム箔（ＡＬ）／ＬＤＰＥ、ＯＮ／ＡＬ／ＬＤＰＥ、ＯＰＰ／ＡＬ／ＬＤＰＥ、ＰＥＴ／ＯＮ／ＡＬ／ＬＤＰＥ、ＰＥＴ／ＯＰＰ／ＡＬ／ＬＤＰＥ、紙／ＰＥＴ／ＡＬ／ＬＤＰＥ、ＰＥＴ／紙／ＡＬ／ＬＤＰＥ等である。基材層となる下線を付した層に切目線が形成される。
【００２６】
切目線を形成した積層体を作製する方法としては、絵柄を印刷したプラスチックフィルムからなる基材層、ないしは、絵柄を印刷したプラスチックフィルムの印刷面に他のプラスチックフィルム又は紙を積層した基材層を作製した後に、基材層に印刷された絵柄に見当を合わせて所定位置に所定形状の閉ループ状ないしはＵ字形状の切目線を切刃により形成し、切目線を形成した基材層にアルミニウム箔と熱接着性樹脂層を積層することにより作製することができる。なお、基材層がプラスチックフィルム単体からなる場合は、プラスチックフィルムをグラビア輪転印刷機等を使用して印刷する際に、印刷機の１つのユニットを使用して版胴の表面に切目線形成用の切刃を取り付けることにより、印刷とインラインで切目線を形成することもできる。
【図面の簡単な説明】
【００２７】
【図１】本発明の第１実施形態を示す平面図。
【図２】図１のＩ−Ｉ線拡大断面図。
【図３】第１実施形態の開封途中の上半部を示す平面図。
【図４】第１実施形態の積層体を切目線にて切り取った図２に対応する拡大断面図。
【図５】本発明の第２実施形態の上半部を示す平面図。
【図６】本発明の第３実施形態の上半部を示す平面図。
【符号の説明】
【００２８】
２  合掌熱接着部
３  端縁熱接着部
４，4'  切目線
５，5'  粘着テープ                                                              5a，5'a   摘み部
６  開口
51  粘着テープ基材層
52  粘着剤層
10  積層体
11  基材層
12  アルミニウム箔層
13  熱接着性樹脂層
【図１】
2006137445.tif 000003
【図２】
2006137445.tif 000004
【図３】
2006137445.tif 000005
【図４】
2006137445.tif 000006
【図５】
2006137445.tif 000007
【図６】
2006137445.tif 000008